(57)【特許請求の範囲】
【請求項１】
少なくとも、１６：９／４：３切り換え信号発生回路１、フライバックトランス４、水平偏向回路３、水平偏向回路３内に水平偏向コイルＬＨ、コンデンサＣＰ２、ＣＰ３及びＦＥＴＱ２、Ｑ１を有し、フライバックトランス４の高圧Ｖ２をモニタしてフライバックトランス４の１次巻線６に印加する電圧を制御する高圧電圧安定化回路であって、フライバックトランス４の１次巻線６の一端に電源が接続され、前記１次巻線６の他端と接地間に水平偏向コイルＬＨが接続され、前記１次巻線６の他端と接地間に水平偏向コイルＬＨとは別にコンデンサＣＰ３とＦＥＴＱ１を直列に接続し、さらに、前記１次巻線６の他端と接地間に前記水平偏向コイルＬＨ、コンデンサＣＰ３、ＦＥＴＱ１とは別にコンデンサＣＰ２とＦＥＴＱ２を直列に接続し、フライバックトランス４の高圧Ｖ２に一端が接続された抵抗Ｒ１の他端に分圧用の抵抗Ｒ２が接続され、抵抗Ｒ１と抵抗Ｒ２の接続点とＦＥＴＱ１のベースを接続し、１６：９／４：３切り換え信号発生回路１とＦＥＴＱ２のベースを接続したことを特徴とする高圧電圧安定化回路。
【発明の詳細な説明】
【０００１】
【発明の属する技術分野】
本発明は、１６：９（ワイド）、４：３（ノーマル）モード切り換え機能付き小型電子ビューファインダー等に使用する高圧電圧安定化回路に関するものである。
【０００２】
【従来の技術】
以下に従来技術を図に基づいて説明する。
図１は、従来の水平偏向回路および高圧電圧安定化回路例を示す図である。１は、１６：９／４：３切り換え信号発生回路、２は、アナログマルチプレクサ（ＭＰＸ）、３は、水平偏向回路、４は、フライバックトランス（ＦＢＴ）である。１６：９（ワイド）と４：３（ノーマル）の水平偏向サイズの電圧を可変抵抗ＶＲ１及び可変抵抗ＶＲ２により設定し、設定された電圧を、１６：９／４：３切り換え信号発生回路１により、アナログマルチプレクサ（ＭＰＸ）２に入力される制御信号により、該アナログマルチプレクサ（ＭＰＸ）２で切り換えられ、水平偏向回路３内の水平偏向コイルＬнに印加される電圧を変化させ水平偏向コイルＬＨに流れる電流を制御することで、ＣＲＴに映しだされる水平偏向サイズを１６：９（ワイド）と４：３（ノーマル）に切り換えているている。そのため、フライバックトランス（ＦＢＴ）４に印加される電源電圧Ｖ１も１６：９（ワイド）と４：３（ノーマル）時とでは異なる。
【０００３】
ＣＲＴに印加される高圧電圧Ｖ２は、１６：９（ワイド）と４：３（ノーマル）時に差が発生することにより、ＣＲＴに映し出される画像がボケてしまう等の不具合、及び画像の輝度を可変することにより高圧電圧Ｖ２が変化することをなくす高圧電圧安定化回路が従来より知られている。図１に示すように、フライバックトランス（ＦＢＴ）４内の抵抗Ｒ１、抵抗Ｒ２により、高圧電圧Ｖ２を分圧することでモニタし、モニタした電圧を水平偏向回路部３のＦＥＴ（Ｑ１）のベースに入力し、コンデンサＣｐ１に流れる電流を制御（高圧電圧Ｖ２が高くなるとＦＥＴＱ１のベース電圧が高くなり、高圧電圧Ｖ２を低くする。高圧電圧Ｖ２が低くなるとＦＥＴＱ１のベース電圧が低くなり、高圧電圧Ｖ２を高くする。）することで、高圧電圧の安定化をはかっている。
【０００４】
前記１６：９（ワイド）、４：３（ノーマル）モードの水平偏向回路３での損失の一部である、ＦＥＴ（Ｑ１）の飽和抵抗損失Ｐｓは次式で示される。
【０００５】
【数１】
0003695666.tif 000002
【０００６】
【発明が解決しようとする課題】
前記従来の回路において、４：３（ノーマル）モードは、問題とならないが、１６：９（ワイド）モード時は、４：３（ノーマル）モードに比べ水平偏向電流を多く流さなくては成らないため、高圧電圧安定化回路の消費電力が大きくなってしまうと言う課題を有していた。
【０００７】
本発明は、１６：９（ワイド）、４：３（ノーマル）モード切り換え機能付き小型電子ビューファインダー等に使用する低消費電力の高圧電圧安定化回路を提供することを目的とする。
【０００８】
【課題を解決するための手段】
少なくとも、１６：９／４：３切り換え信号発生回路１、フライバックトランス４、水平偏向回路３、水平偏向回路３内に水平偏向コイルＬＨ、コンデンサＣＰ２、ＣＰ３及びＦＥＴＱ２、Ｑ１を有し、フライバックトランス４の高圧Ｖ２をモニタしてフライバックトランス４の１次巻線６に印加する電圧を制御する高圧電圧安定化回路であって、フライバックトランス４の１次巻線６の一端に電源が接続され、前記１次巻線６の他端と接地間に水平偏向コイルＬＨが接続され、前記１次巻線６の他端と接地間に水平偏向コイルＬＨとは別にコンデンサＣＰ３とＦＥＴＱ１を直列に接続し、さらに、前記１次巻線６の他端と接地間に前記水平偏向コイルＬＨ、コンデンサＣＰ３、ＦＥＴＱ１とは別にコンデンサＣＰ２とＦＥＴＱ２を直列に接続し、フライバックトランス４の高圧Ｖ２に一端が接続された抵抗Ｒ１の他端に分圧用の抵抗Ｒ２が接続され、抵抗Ｒ１と抵抗Ｒ２の接続点とＦＥＴＱ１のベースを接続し、１６：９／４：３切り換え信号発生回路１とＦＥＴＱ２のベースを接続した高圧電圧安定化回路とする。
【０００９】
【発明の実施の形態】
以下に実施の形態について、図に基づいて説明する。
図２は、本発明の水平偏向回路および高圧電圧安定化回路の一例である。本発明の水平偏向回路および高圧電圧安定化回路は、従来の回路の水平偏向回路３内にコンデンサＣｐ２とＦＥＴ（Ｑ２）から成る制御回路５を付加した構成であり、１６：９／４：３切り換え信号発生回路１より出力される制御信号により、ＦＥＴ（Ｑ２）が制御され、１６：９（ワイド）モード時にコンデンサＣｐ２が水平偏向コイルＬнに接続される構成である。フライバックトランス４の１次巻線６の一端に電源が接続され、前記１次巻線６の他端と接地間に水平偏向コイルＬＨ、水平リニアリティーコイルＬ、直流素子用コンデンサＣＳが直列接続され、前記１次巻線６の他端と接地間に水平偏向コイルＬＨ等とは別にコンデンサＣＰ３とＦＥＴＱ１を直列に接続し、さらに、前記１次巻線６の他端と接地間に前記水平偏向コイルＬＨ、コンデンサＣＰ３、ＦＥＴＱ１とは別にコンデンサＣＰ２とＦＥＴＱ２を直列に接続されている。水平偏向コイルＬＨ、水平リニアリティーコイルＬ、直流素子用コンデンサＣＳとコンデンサＣＰ２及びＣＰ３は、ＦＥＴＱ２及びＦＥＴＱ３がＯＮ状態で並列に接続され共振回路を構成している。４：３モードではＦＥＴＱ２はＯＦＦ、９：６モードでＦＥＴＱ２はＯＮに制御される。フライバックトランス４の高圧Ｖ２に一端が接続された抵抗Ｒ１の他端に分圧用の抵抗Ｒ２が接続され、抵抗Ｒ１と抵抗Ｒ２の接続点とＦＥＴＱ１のベースを接続し、１６：９／４：３切り換え信号発生回路１とＦＥＴＱ２のベースを接続した高圧電圧安定化回路である。
【００１０】
前記構成にすることで、１６：９（ワイド）、４：３（ノーマル）モードでの水平変更回路の損失の一部である、ＦＥＴ（Ｑ１）およびＦＥＴ（Ｑ２）の飽和抵抗損ＰＳ２は、次式で示される。
【００１１】
【数２】
0003695666.tif 000003
0003695666.tif 000004
よって飽和抵抗損Ｐｓは、従来の回路の１／２になる。
【００１２】
【発明の効果】
以上説明したように本発明によれば、次のような効果が得られる。
１６：９（ワイド）、４：３（ノーマル）モード切り換え機能付き小型電子ビューファインダーに使用する高圧電圧安定化回路において、１６：９／４：３切り換え信号を用い、水平偏向回路３内のＦＥＴＱ２によりコンデンサＣＰ２水平偏向コイルＬＨへの接続のＯＮ、ＯＦＦを制御することで飽和抵抗損Ｐｓは、従来の回路の１／２となり、１６：９（ワイド）モードでの高圧電圧安定化回路の消費電力を低減させることができる。
【図面の簡単な説明】
【図１】  従来技術の水平偏向回路および高圧電圧安定化回路の一例を示す図。
【図２】  本発明による水平偏向回路および高圧電圧安定化回路の一例を示す図。
【符号の説明】
１  １６：９／４：３切り換え回路
２  アナログマルチプレクサ
３  水平偏向回路
４  フライバックトランス
５  制御回路
６  １次巻線
【図１】
0003695666.tif 000005
【図２】
0003695666.tif 000006